(57)【要約】【課題】初期投資が少なくて済む可変シリンダ錠を提供する。【解決手段】可変シリンダ錠１は、円筒形状の外筒１０と、外筒１０の内部に収容される内筒３０と、内筒３０の回転を規制するロッキングバー３２４と、内筒３０に内筒３０の中心軸Ｑに対して垂直方向に変位し、変位方向の軸であるドライバピン軸３０３Ｄに対して垂直方向に複数設けられる第１係合溝３０３Ｂを有するドライバピン３０３と、第１係合溝３０３Ｂと係合する第２係合溝３３１Ａ及びロッキングバー３２４の先端と嵌合するロッキングバー嵌合溝３３１Ｃを有するカウンターピン３３１と、カウンターピン３３１及びロッキングバー３２４を収容し、押圧されることによってカウンターピン３３１をドライバピン３０３との係合を解く方向に変位させるクラッチ３２０と、を備える。【選択図】図４
2017155561.tif 000002
【特許請求の範囲】
【請求項１】
筒形状の外筒と、
前記外筒の内部に収容される内筒と、
前記内筒の回転を規制するロッキングバーと、
前記内筒に前記内筒の中心軸に対して垂直方向に変位し、変位方向の軸であるドライバピン軸に対して垂直方向に複数設けられる第１係合溝を有するドライバピンと、
前記第１係合溝と係合する第２係合溝及び前記ロッキングバーの先端と嵌合するロッキングバー嵌合溝を有するカウンターピンと、
前記カウンターピン及び前記ロッキングバーを収容し、押圧されることによって前記カウンターピンを前記ドライバピンとの係合を解く方向に変位させるクラッチと、
を備える可変シリンダ錠。
【請求項２】
前記第１係合溝は、
前記ドライバピンの変位方向の軸であるドライバピン軸の周りを周回するように設けられる請求項１に記載の可変シリンダ錠。
【請求項３】
前記カウンターピンは、
前記第２係合溝が前記カウンターピンの変位方向の軸であるカウンターピン軸の方向に面取りされ、前記クラッチに嵌め込まれた際に前記カウンターピン軸にのみ変位する請求項１に記載の可変シリンダ錠。
【請求項４】
前記ドライバピン及び前記カウンターピンは、
切削加工によって形成される請求項１に記載の可変シリンダ錠。
【請求項５】
ディンプル形状の刻みを有する鍵であって、
筒形状の外筒と、
前記外筒の内部に収容される内筒と、
前記内筒の回転を規制するロッキングバーと、
前記内筒に前記内筒の中心軸に対して垂直方向に変位し、変位方向の軸であるドライバピン軸に対して垂直方向に複数設けられる第１係合溝を有するドライバピンと、
前記第１係合溝と係合する第２係合溝及び前記ロッキングバーの先端と嵌合するロッキングバー嵌合溝を有するカウンターピンと、
前記カウンターピン及び前記ロッキングバーを収容し、押圧されることによって前記カウンターピンを前記ドライバピンとの係合を解く方向に変位させるクラッチと、
を備える可変シリンダ錠に用いられる鍵。
【請求項６】
ディンプル形状の刻みを有する鍵であって、
筒形状の外筒と、
前記外筒の内部に収容される内筒と、
前記内筒の回転を規制するロッキングバーと、
前記内筒に前記内筒の中心軸に対して垂直方向に変位し、変位方向の軸であるドライバピン軸に対して垂直方向に複数設けられる第１係合溝を有するドライバピンと、
前記第１係合溝と係合する第２係合溝及び前記ロッキングバーの先端と嵌合するロッキングバー嵌合溝を有するカウンターピンと、
前記カウンターピン及び前記ロッキングバーを収容し、押圧されることによって前記カウンターピンを前記ドライバピンとの係合を解く方向に変位させるクラッチと、
を備える可変シリンダ錠に用いられ、
複数のキーコードに合致する刻みを有する鍵。
【発明の詳細な説明】
【技術分野】
【０００１】
本発明は、可変シリンダ錠に関するものである。
【背景技術】
【０００２】
可変シリンダ錠はキーコードを変更することができる。従って、鍵を変更する場合にはシリンダ錠ごと交換する必要がなく、鍵の紛失や変更の際に迅速にかつコストをほとんどかけずに対応することができ、普及が進んでいる。
【０００３】
この一方において、特に産業用の分野においては製造コストのさらなる低減が求められている。
【０００４】
従来の可変シリンダ錠は、シリンダの内筒の回転を規制するロッキングバーと、ロッキングバーをシリンダの内筒が回転することを許容する方向に嵌まり込む切欠き、及び鋸歯状の第１係合部を有する板状のタンブラと、タンブラの第１係合部に係合する第２係合部を有する板状の可変タンブラと、を備える（例えば、特許文献１）。
【０００５】
この従来の可変シリンダは、タンブラと可変タンブラの係合位置によってキーコードが定まる。
【０００６】
タンブラと可変タンブラは、板状であるため、製造は打ち抜きプレス加工とならざるを得ない。従って、プレス加工用の金型を調製する必要があり、初期投資がかかるため製造コストを押し上げていた。
【先行技術文献】
【特許文献】
【０００７】
【特許文献１】特許第３４１１３５８号公報
【発明の概要】
【発明が解決しようとする課題】
【０００８】
本発明が解決しようとする課題は、初期投資がかからないため製造コストが少ない可変シリンダ錠を提供することである。
【課題を解決するための手段】
【０００９】
この課題を解決するため、本発明に係る可変シリンダ錠は、円筒形状の外筒と、前記外筒の内部に収容される内筒と、前記内筒の回転を規制するロッキングバーと、前記内筒に前記内筒の中心軸に対して垂直方向に変位し、変位方向の軸であるドライバピン軸に対して垂直方向に複数設けられる第１係合溝を有するドライバピンと、前記第１係合溝と係合する第２係合溝及び前記ロッキングバーの先端と嵌合するロッキングバー嵌合溝を有するカウンターピンと、前記カウンターピン及び前記ロッキングバーを収容し、押圧されることによってカウンターピンをドライバピンとの係合を解く方向に変位させるクラッチと、を備える。
【発明の効果】
【００１０】
本発明の可変シリンダ錠によれば、製造コストが少ない可変シリンダ錠を提供することができる。
【図面の簡単な説明】
【００１１】
【図１】本発明の一実施形態の可変シリンダ錠の右側面図。
【図２】可変シリンダ錠の正面図。
【図３】可変シリンダ錠の背面図。
【図４】可変シリンダ錠の分解斜視図。
【図５】可変シリンダ錠の施錠状態のカウンターピン付近の部分断面図。
【図６】第１係合溝に対する第２係合溝の係合位置が溝一つ分図５に向かって左側にずれて係合した場合の断面図。
【図７】第１係合溝に対する第２係合溝の係合位置が溝一つ分図６に向かって左側にずれて係合した場合のカウンターピン付近の断面図。
【図８】ブランクキーが挿入された場合の可変シリンダ錠のカウンターピン付近の断面図。
【図９】可変シリンダ錠のキーコードと合致する刻みを有する鍵が挿入された状態のカウンターピン付近の断面図。
【図１０】可変シリンダ錠の背面斜視図。
【図１１】クラッチが変位する前の状態を示す可変シリンダ錠の右側面図。
【図１２】クラッチが変位した後の状態を示す可変シリンダ錠の右側面図。
【図１３】第１のキーコードを有する可変シリンダ錠並びに鍵の断面図、及び鍵の右側面図。
【図１４】第２のキーコードを有する可変シリンダ錠並びに鍵の断面図、及び鍵の右側面図。
【図１５】第１のキーコード及び第２のキーコードに合致する刻みを有する鍵の断面図及び右側面図。
【発明を実施するための形態】
【００１２】
以下、本発明の一実施形態の可変シリンダ錠を、図面を参照しながら説明する。以下に述べる実施形態は本発明を実施するための一例であり、構成を適宜追加、削除することが可能である。
【００１３】
（可変シリンダ錠の構成）
図１は本発明の一実施形態の可変シリンダ錠１の右側面図、図２は可変シリンダ錠１の正面図、図３は可変シリンダ錠１の背面図、図４は可変シリンダ錠１の分解斜視図である。図１から図４に示すように、可変シリンダ錠１は、円筒形状の外筒１０と、外筒１０の内部に収納される内筒３０と、を備える。内筒３０には施錠装置と連動するロッド２０が設けられる。
【００１４】
図２に示すように、内筒３０の正面にはクラッチホール３０１が設けられる。クラッチホール３０１は、後述するクラッチ３２０に対応する位置に内筒の正面を貫通するように設けられる。
【００１５】
図３に示すように、外筒１０、内筒３０、及びロッド２０は、背面視において同心円状に配置される。この同心円の中心を通る直線を、中心軸Ｑという。
【００１６】
図４に示すように、外筒１０は内部に内筒３０を収納する。内筒３０は、内筒３０の正面を貫通し、ロッド２０に至る鍵穴３０２を備える。内筒３０は、中心軸Ｑに対して垂直な左右方向に設けられるドライバピン収納溝３０６がドライバピン３０３の数だけ設けられる。また内筒３０は、クラッチ３２０を収納する切欠きを有し、この切欠きの周方向端部にはクラッチ３２０を摺動可能に支持する壁部であるクラッチガイド３０７が設けられる。
【００１７】
鍵穴３０２の終端部にはロッド２０が設けられる。ロッド２０は、鍵穴３０２の終端部分に配置される付け根の部分に、ロッド２０の本体部分より半径が大きい基底部を有する。基底部にはクラッチ３２０を正面方向に付勢する弾性体３２２を収納するバネ溝３０９を備える。
【００１８】
ドライバピン収納溝３０６にはドライバピン３０３が収納される。ドライバピン３０３は、ドライバピン３０３のドライバピン軸３０３Ｄが中心軸Ｑに対して垂直になるように配置される。
【００１９】
ドライバピン３０３は、中心軸Ｑに対して左右交互に配置される。つまり、中心軸Ｑの奥側から、右側に第１のドライバピン３０３が配置されると、対向する左側の位置にはドライバピン３０３は配置されない。左側に第２のドライバピン３０３が配置されると、対向する右側の位置にはドライバピン３０３は配置されない。以降、これが繰り返されたドライバピン３０３が複数配置される。
【００２０】
ドライバピン３０３は、先端部に先端に向かって細くなる形状をなし、鍵４０のキー溝又はキー山である刻み４０３（図１０参照。）に当接するピンヘッド３０３Ａと、ドライバピン３０３のドライバピン軸３０３Ｄの周りを周回する複数の第１係合溝３０３Ｂと、ドライバピン３０３を鍵穴３０２の方向に付勢するドライバピン押圧バネ３０５を収納するバネ穴３０３Ｃと、を有する。
【００２１】
ドライバピン３０３は全体がドライバピン軸３０３Ｄの方向に長いピン形状をなし、ドライバピン３０３の第１係合溝３０３Ｂは、ピン状のワークを切削加工によって形成することができる。また、ドライバピン３０３のピンヘッド３０３Ａ及びバネ穴３０３Ｃも切削加工によって形成することができる。従って、プレス用の金型の調製は必要ない。
【００２２】
ドライバピン押圧バネ３０５は、カバープレート３１０によってバネ穴３０３Ｃに封入される。カバープレート３１０は、背面方向から爪部３１１Ａを有するクラッチ規制部３１１及び封止部３１２によって内筒３０の内部に位置決めされる。
【００２３】
クラッチ３２０は、ドライバピン収納溝３０６に対応する位置に、カウンターピン３３１を収納するカウンターピン収納溝３２３と、中心軸Ｑに平行に設けられるロッキングバー収納溝３２１と、を備える。
【００２４】
カウンターピン３３１は、第１係合溝３０３Ｂに係合する複数の第２係合溝３３１Ａと、第２係合溝３３１Ａに対して垂直に延びるカウンターピン軸部３３１Ｂと、カウンターピン軸部３３１Ｂのロッキングバー３２４の方向に設けられるロッキングバー嵌合溝３３１Ｃと、カウンターピン軸部３３１Ｂの先端部に設けられるガイドロッド３３１Ｄと、を備える。
【００２５】
組み立てられた状態において、ドライバピン３０３の第１係合溝３０３Ｂとカウンターピンの第２係合溝３３１Ａとは互いに係合する。
【００２６】
カウンターピン３３１は全体がカウンターピン軸３３１Ｅの方向に長いピン形状をなし、カウンターピン３３１の第２係合溝３３１Ａは、ピン状のワークを切削加工によって形成することができる。従って、プレス用の金型の調製は必要ない。
【００２７】
第２係合溝３３１Ａは、カウンターピン３３１の変位方向の軸であるカウンターピン軸３３１Ｅに対して円弧状に設けられる。つまり、カウンターピン３３１は第２係合溝３３１Ａが、正面から見て奥側と手前側がカウンターピン軸方向に面取りしてある。カウンターピン収納溝３２３はこの面取りされた面に対応する形状に設けられる。従って、カウンターピン３３１はカウンターピン収納溝３２３に嵌め込まれるとカウンターピン軸３３１Ｅ周りに回転せず、カウンターピン軸３３１Ｅ方向にのみ変位可能となる。よって、ロッキングバー嵌合溝３３１Ｃは常にロッキングバー３２４の方向に向けられることとなる。
【００２８】
ロッキングバー収納溝３２１には、ロッキングバー３２４が嵌め込まれる。ロッキングバー３２４は、長手方向に垂直な断面の形状がカウンターピン３３１の方向に向かって細くなるカウンターピン係合部３２４Ｂと、内筒３０の回転を規制するロック部３２４Ａと、を備える。
【００２９】
ロッキングバー３２４は、ロッキングバー付勢バネ３２６によってカウンターピン３３１の方向に付勢される。ロッキングバー付勢バネ３２６は、バネ係止片３２５によって封止される。
【００３０】
（可変シリンダ錠の動作）
（施錠／開錠動作）
図５は、可変シリンダ錠１の施錠状態のカウンターピン３３１付近の断面図である。図５においては、カウンターピン３３１のカウンターピン軸３３１Ｅに沿って可変シリンダ錠１の中心軸Ｑに垂直な平面による切断面を示す。可変シリンダ錠１のキーコードは、ドライバピン３０３の第１係合溝３０３Ｂとカウンターピン３３１の第２係合溝３３１Ａとの相対的な位置関係によって決まる。
【００３１】
図５に示すように、施錠状態においては鍵４０の刻み４０３のパターンと可変シリンダ錠１のキーコードが合っていない。ドライバピン３０３は矢印Ｘ２に示す鍵４０の方向に、ドライバピン押圧バネ３０５によって付勢され、ドライバピン３０３の第１係合溝３０３Ｂとカウンターピン３３１の第２係合溝３３１Ａとは互いに係合している状態にある。従って、カウンターピン３３１はドライバピン３０３がドライバピン押圧バネ３０５によって付勢されるのに従動して矢印Ｘ２の方向に変位する。
【００３２】
しかし、第１係合溝３０３Ｂに対する第２係合溝３３１Ａの係合位置が図５に向かって右側によりすぎている。このため、カウンターピン３３１のロッキングバー嵌合溝３３１Ｃは、ロッキングバー３２４の位置に対してカウンターピン３３１のカウンターピン軸３３１Ｅの方向にそってずれる。従って、ロッキングバー３２４は矢印Ｘ１の方向に付勢されてはいるが、ロッキングバー嵌合溝３３１Ｃには嵌まり込まず、カウンターピン軸部３３１Ｂに当接する。この状態において、ロッキングバー３２４は内筒３０が回転することを阻止する。
【００３３】
図６は、第１係合溝３０３Ｂに対する第２係合溝３３１Ａの係合位置が溝一つ分図５に向かって左側にずれて係合した場合の断面図である。図６に示すように、図５の状態に比べて、カウンターピン３３１のロッキングバー嵌合溝３３１Ｃは、ロッキングバー３２４の位置に近づくが、キーコードが合っていないため、まだずれている。
【００３４】
図７は、第１係合溝３０３Ｂに対する第２係合溝３３１Ａの係合位置が溝一つ分図６に向かって左側にずれて係合した場合のカウンターピン３３１付近の断面図である。図７に示すように、図６の状態に比べて、カウンターピン３３１のロッキングバー嵌合溝３３１Ｃは、ロッキングバー３２４の位置に近づくが、他のドライバピン３０３とカウンターピン３３１の係合位置がキーコードと合っていないため、ロッキングバー嵌合溝３３１Ｃにカウンターピン係合部３２４Ｂは嵌まり込まない。
【００３５】
図８は、ブランクキーが挿入された場合の可変シリンダ錠１のカウンターピン３３１付近の断面図である。図８に示すように、第１係合溝３０３Ｂに対する第２係合溝３３１Ａの係合位置が適正であっても、鍵４０の刻み４０３の深さと合ってないとロッキングバー嵌合溝３３１Ｃはロッキングバー３２４に対してずれる。
【００３６】
図９は、可変シリンダ錠１のキーコードと合致する刻み４０３を有する鍵４０が挿入された状態のカウンターピン３３１付近の断面図である。図９に示すように、可変シリンダ錠１のキーコードと合致する刻み４０３を有する鍵４０が挿入されると、全てのロッキングバー嵌合溝３３１Ｃがロッキングバー３２４の直下に揃い、ロッキングバー嵌合溝３３１Ｃにカウンターピン係合部３２４Ｂが嵌まり込む。この場合、ロッキングバー３２４は矢印Ｘ４に示す開錠方向に変位し、内筒３０は矢印Ｘ５に示す回転方向に回転することが可能となる。
【００３７】
（キーコードの変更動作）
図１０は、可変シリンダ錠１の背面斜視図である。図１０においては、封止部３１２の図示を省略し、クラッチ規制部３１１を外した状態を図示してある。図１０に示すように、クラッチ３２０は、クラッチ規制部３１１の爪部３１１Ａの位置と、内筒３０の回転方向にずれた位置に爪溝部３２０Ａを有する。
【００３８】
クラッチ３２０は、通常の位置においては、爪部３１１Ａに阻止されて矢印Ｘ６の方向に変位できない。可変シリンダ錠１のキーコードと合致する刻み４０３を有する鍵４０が挿入され、内筒３０が回転されて爪部３１１Ａが爪溝部３２０Ａに嵌まり込む位置に変位されると、クラッチ３２０はクラッチホール３０１から挿入された針金などによって押圧されることにより矢印Ｘ６の方向に変位する。この機構によりキーコードの誤変換を防止することが可能となる。
【００３９】
図１１は、クラッチ３２０が変位する前の状態を示す可変シリンダ錠１の右側面図である。図１２は、クラッチ３２０が変位した後の状態を示す可変シリンダ錠１の右側面図である。図１１及び図１２に示すように、クラッチ３２０が矢印Ｘ７の方向に変位すると、第１係合溝３０３Ｂと第２係合溝３３１Ａとの係合が解除され、ドライバピン３０３はカウンターピン３３１に対して変位することができるようになる。
【００４０】
この機構を利用して、キーコードの変更は次のように行う。
【００４１】
（１）キーコードが合っている第１の鍵４０を鍵穴３０２に挿入する。この際、ロッキングバー３２４はカウンターピン３３１のロッキングバー嵌合溝３３１Ｃに嵌まり込む。この状態において、鍵４０を回転させることにより内筒３０を回転させ、クラッチ３２０を爪部３１１Ａが爪溝部３２０Ａに嵌まり込む位置に変位させる。
【００４２】
（２）クラッチホール３０１から針金等を挿入してクラッチ３２０を押圧し、中心軸Ｑの奥側に変位させる。この際、ドライバピン３０３の第１係合溝３０３Ｂとカウンターピン３３１の第２係合溝３３１Ａとは係合が外れる。
【００４３】
（３）クラッチ３２０を押圧したまま、第１の鍵４０を引き抜く。この際、カウンターピン３３１はロッキングバー３２４によって変位が阻止され、開錠位置に留まる。
【００４４】
（４）クラッチ３２０を押圧したまま、第１の鍵４０とはキーコードが異なる第２の鍵４０を鍵穴３０２に挿入する。この際、ドライバピン３０３は第２の鍵４０のキーコードに合わせて変位する。
【００４５】
（５）第２の鍵４０を挿入したまま、クラッチ３２０の押圧を解除する。この際、ドライバピン３０３の第１係合溝３０３Ｂとカウンターピン３３１の第２係合溝３３１Ａとは互いに係合する。従って、ドライバピン３０３は、第２の鍵４０のコードに従って変位した状態においてカウンターピン３３１と係合することとなる。
【００４６】
（６）第２の鍵４０を引き抜く。
【００４７】
（鍵の構成）
可変シリンダ錠１に用いられる鍵４０は、複数のキーコードの刻み４０３を有することができる。鍵４０の刻み４０３はディンプル形状を採用することができる。
【００４８】
図１３は、第１のキーコードを有する可変シリンダ錠１並びに鍵４０の断面図、及び鍵４０の右側面図である。図１３（Ｂ）は鍵４０の図１３（Ｃ）のＣＣ線断面図である。図１３（Ａ）に示すように、第１のキーコードを有する可変シリンダ錠１は、ドライバピン３０３を図１３に向かって上方向右がわから互い違いに配置される。図１３（Ｂ）及び図１３（Ｃ）に示すように、第１のキーコードを有する鍵４０は、第１のキーコードを有する可変シリンダ錠１のドライバピン３０３に対応する位置に、第１のキーコードにあう深さの刻み４０３を有する。第１のキーコードを有する鍵４０は、図１３に向かって上方向右側面から互い違いに刻み４０３を有する。
【００４９】
図１４は、第２のキーコードを有する可変シリンダ錠１並びに鍵４０の断面図、及び鍵４０の右側面図である。図１４（Ｂ）は鍵４０の図１４（Ｃ）のＤＤ線断面図である。図１４（Ａ）に示すように、第２のキーコードを有する可変シリンダ錠１は、ドライバピン３０３を図１４に向かって上方向左がわから互い違いに配置される。図１４（Ｂ）及び図１４（Ｃ）に示すように、第２のキーコードを有する鍵４０は、第２のキーコードを有する可変シリンダ錠１のドライバピン３０３に対応する位置に、第２のキーコードにあう深さの刻み４０３を有する。第２のキーコードを有する鍵４０は、図１４に向かって上方向左側面から互い違いに刻み４０３を有する。
【００５０】
図１５は、第１のキーコード及び第２のキーコードに合致する刻み４０３を有する鍵４０の断面図及び右側面図である。図１５（Ｂ）は鍵４０の図１５（Ｃ）のＥＥ線断面図である。図１５に示すように、鍵４０は第１のキーコードに合致する刻み４０３と、第２のキーコードに合致する刻み４０３と、をそれぞれ互い違いに有する。従って、第１のキーコード及び第２のキーコードに合致する刻み４０３を有する鍵４０は、第１のキーコードを有する可変シリンダ錠１と、第２のキーコードを有する可変シリンダ錠１と、を１本の鍵４０によって開錠できるという効果がある。従って、可変シリンダ錠１によれば、複数のキーコードを一つの鍵に刻めるため、例えば分譲マンションの専有部と、共有部とによってキーコードが異なる場合においても１本の鍵によって施錠／開錠ができるようになる。
【００５１】
これに対して、タンブラが板状のものである場合、鍵のコードは刻みではなく、いわゆる「蛇溝」といわれる蛇行した溝の形になる。この場合、溝幅を一定にする必要があるため、一つの鍵には一つのキーコードしか刻めない。
【００５２】
以上述べたように、本実施形態の可変シリンダ錠１は、円筒形状の外筒１０と、外筒１０の内部に収容される内筒３０と、内筒３０の回転を規制するロッキングバー３２４と、内筒３０に内筒３０の中心軸Ｑに対して垂直方向に変位し、変位方向の軸であるドライバピン軸３０３Ｄに対して垂直方向に複数設けられる第１係合溝３０３Ｂを有するドライバピン３０３と、第１係合溝３０３Ｂと係合する第２係合溝３３１Ａ及びロッキングバー３２４の先端と嵌合するロッキングバー嵌合溝３３１Ｃを有するカウンターピン３３１と、カウンターピン３３１及びロッキングバー３２４を収容し、押圧されることによってカウンターピン３３１をドライバピン３０３との係合を解く方向に変位させるクラッチ３２０と、を備える。
【００５３】
第１係合溝３０３Ｂ及び第２係合溝３３１Ａはピン状のワークを切削加工することによって形成することができる。
【００５４】
従って、本実施形態の可変シリンダ錠１によれば、プレス加工用の金型を調製する必要がなくなり、製造コストが少ない可変シリンダ錠を提供することができるという効果がある。
【符号の説明】
【００５５】
１  可変シリンダ錠
１０  外筒
２０  ロッド
３０  内筒
４０  鍵３０１  クラッチホール
３０２  鍵穴
３０３  ドライバピン
３０３Ａ  ピンヘッド
３０３Ｂ  第１係合溝
３０３Ｃ  バネ穴
３０３Ｄ  ドライバピン軸
３０５  ドライバピン押圧バネ
３０６  ドライバピン収納溝
３０７  クラッチガイド
３０９  バネ溝
３１０  カバープレート
３１１  クラッチ規制部
３１１Ａ  爪部
３１２  封止部
３２０  クラッチ
３２０Ａ  爪溝部
３２１  ロッキングバー収納溝
３２２  弾性体
３２３  カウンターピン収納溝
３２４  ロッキングバー
３２４Ａ  ロック部
３２４Ｂ  カウンターピン係合部
３２５  バネ係止片
３２６  ロッキングバー付勢バネ
３３１  カウンターピン
３３１Ａ  第２係合溝
３３１Ｂ  カウンターピン軸部
３３１Ｃ  ロッキングバー嵌合溝
３３１Ｄ  ガイドロッド
３３１Ｅ  カウンターピン軸
４０１  把持部
４０２  鍵本体部
４０３  刻み
４０４  ガイド溝
【図１】
2017155561.tif 000003
【図２】
2017155561.tif 000004
【図３】
2017155561.tif 000005
【図４】
2017155561.tif 000006
【図５】
2017155561.tif 000007
【図６】
2017155561.tif 000008
【図７】
2017155561.tif 000009
【図８】
2017155561.tif 000010
【図９】
2017155561.tif 000011
【図１０】
2017155561.tif 000012
【図１１】
2017155561.tif 000013
【図１２】
2017155561.tif 000014
【図１３】
2017155561.tif 000015
【図１４】
2017155561.tif 000016
【図１５】
2017155561.tif 000017